【手続補正書】
【提出日】平成18年6月5日(2006.6.5)
【手続補正１】
【補正対象書類名】特許請求の範囲
【補正対象項目名】請求項３４
【補正方法】変更
【補正の内容】
【請求項３４】
前記重なり合いの程度は、前記ストリッパ・プレート・ガイドがその繋止位置に在るときに最大であり、且つ、前記ストリッパ・プレート・ガイドがその繋止解除位置に在るときに最小である、請求項３３に記載のアセンブリ。
【手続補正２】
【補正対象書類名】明細書
【補正対象項目名】００３４
【補正方法】変更
【補正の内容】
【００３４】
特に好適な一実施例において繋止機構は、ボタン・アセンブリから成る。このことはおそらく、図１および図２を考慮し、ストリッパ・プレート・ガイド44がスプリング負荷式ボタン95を担持するという図３Ａ乃至図３Ｄを参照することで最適に理解される。図示されたボタン95は一体片の繋止ボタンであるが、(たとえば二部材式の繋止ボタンなどの)種々の繋止ボタンが使用され得る。図１および図３Ａ乃至図３Ｂに示された如く、スプリング負荷式ボタン95が繋止位置に在るとき(すなわちボタン95の背後のスプリング95Sが非荷重位置に在るとき)、ボタン95の外側部分はパンチ・ガイド16の壁部における開口92内に延在する。この様にボタン95と、開口92を囲繞して画成する壁部とが係合すると、ストリッパ・プレート・ガイド44はパンチ・ガイド16に対する軸心方向移動から拘束される。図３Ｃ乃至図３Ｄに示された如く、ボタン95が押圧され(且つ開口92を画成する壁縁部16Eとの係合から離脱され)たとき、ストリッパ・プレート・ガイド44はその繋止解除位置に向けて(すなわちパンチ・ガイド16に関して軸心方向前方に)自由に移動する。ボタン95がその様に押圧されると、スプリング111はストリッパ・プレート・ガイド44をその繋止解除位置に向けて付勢する(すなわちストリッパ・プレート・ガイド44はスプリング111により該繋止解除位置へと軸心方向に移動される)。
【手続補正３】
【補正対象書類名】明細書
【補正対象項目名】００３５
【補正方法】変更
【補正の内容】
【００３５】
図１０は、繋止機構がリング・スプリング195を備えるという代替実施形態を示している。本実施形態におけるリング・スプリング195は、ストリッパ・プレート・ガイド44'の外側表面46'に形成された円周方向延在溝44G'内に担持される。図１１に関して最適に理解される如くリング・スプリング195は好適には、該リング・スプリング195の残部よりも相当に小さな半径を有する少なくともひとつのスプリング領域197を有する。図１１に示されたリング・スプリング195は、該リング・スプリング195の円周上で直径方向に対置された箇所における２つのスプリング領域197を有する。但し本質的には、任意数の(すなわちひとつ以上の)スプリング領域が配備され得る。リング・スプリング195がストリッパ・プレート・ガイド44'の溝44G'内に取付けられたとき、リング・スプリング195の円周範囲の殆どは、溝44G'の外向き面に対して面一に担持される。但し、(押圧されないときに)各スプリング領域197の弧状長さは、パンチ・ガイドの前端壁部区画11'の内側表面26'を越えて外径方向に延在する。故に、ストリッパ・プレート・ガイド44'がその繋止位置に在ると、リング・スプリング195の外方延在スプリング領域197は、パンチ・ガイド16'の壁部に形成された開口142内に延在し、且つ、開口142を囲繞して画成するこのパンチ・ガイド壁部の縁部142Eに係合する。これは、パンチ・ガイド16'に対するストリッパ・プレート・ガイド44'の軸心方向の前方移動を拘束するという効果を有する。この拘束を除去することが望まれたときには、リング・スプリング195の各スプリング領域197が押圧される。これによりストリッパ・プレート・ガイド44'はパンチ・ガイド16'に対して自由に軸心方向前方に移動し、そのときに各スプリング111'はストリッパ・プレート・ガイド44'をその繋止解除位置に向けて付勢する(と共に、それを該位置へと移動させる)。
【手続補正４】
【補正対象書類名】明細書
【補正対象項目名】００３７
【補正方法】変更
【補正の内容】
【００３７】
好適な一実施形態においてクリップ80の基部85は、ストリッパ・プレート・ガイド44とパンチ・ガイド16との間に取付けられる。これは種々の様式で達成され得る。たとえばクリップ80の基部85は特定の形態を有し得ると共に、ストリッパ・プレート・ガイド44の外向き面46には、クリップ基部85を受容し得る対応形状凹所44Rが形成され得る。このことはおそらく、この種のひとつの特定実施形態が示された図６Ａ乃至図６Ｃを参照すれば最適に理解される。図示されたクリップ80は対置された２つの延長部87を有する基部85備えることから、クリップ80は概略的な“T”字状形態を有する(すなわちクリップ80の基部85は該クリップ80の残部より大きな幅Wを有する)。協働的に、図示されたストリッパ・プレート・ガイド44の外壁部は概略的に“T”字状形態の凹所44Rを画成する。故に、クリップ80の基部が凹所44R内に位置され且つストリッパ・プレート・ガイド44がパンチ・ガイド16の内側に入れ子にされたとき、クリップ80はパンチ・ガイド16の内壁により凹所44R内に捕捉される。図示されたクリップ80はT字状形態を有するが、クリップ80の基部は種々の異なる形態で提供され得る(と共に、ストリッパ・プレート・ガイド44における凹所44Rは対応する種々の形態で提供され得る)。
【手続補正５】
【補正対象書類名】明細書
【補正対象項目名】００４０
【補正方法】変更
【補正の内容】
【００４０】
図８Ａから図８Ｃおよび図１０において理解され得る如く、ストリッパ・プレート・ガイド44は好適には少なくとも一個の締結具60、60'によりパンチ・ガイド16に対して取付けられる。図示された様式で取付けられたときにストリッパ・プレート・ガイド44は、パンチ・ガイド16に対して軸心方向に移動する上で限られた範囲の自由度を有する。図８Ａに示された如くストリッパ・プレート・ガイド44は、該ストリッパ・プレート・ガイド44をパンチ・ガイド16の前端壁部区画11の内側に位置すると共に、(図示された様式で)該ストリッパ・プレート・ガイド44の開口61内に(図８Ａ乃至図８Ｃではリング・ピンである)締結具60を挿入することで、パンチ・ガイド16上に取付けられる。この開口61は好適にはストリッパ・プレート・ガイド44の全体を貫通延在し、一端にてはストリッパ・プレート・ガイド44の内向き面40を介して開口し、且つ、他端にては、ストリッパ・プレート・ガイド44の外向き面46を通して開口する長寸の(すなわちストリッパ・プレート・ガイド44の進行方向に長寸とされ、すなわち軸心Aの方向に長寸とされた)開口166へと開口している。ストリッパ・プレート・ガイド44およびパンチ・ガイド16は、ストリッパ・プレート・ガイド44における開口61がパンチ・ガイド16における開口67と整列されるという相対位置へともたらされる。次に(たとえばリング・ピンなどの)締結具60は、該締結具60の(たとえばリング・ピンの減径部などの)前部65がパンチ・ガイド16における開口67に係合するまで、ストリッパ・プレート・ガイド44における開口61を介して前進される。もしそれが望ましければ、締結具60の前部65は螺条形成され得ると共に、開口67を画成するパンチ・ガイド壁部も螺条形成され得ることから、締結具60はパンチ・ガイド16の壁部に対して螺着係合される。締結具60を図８Ｃに示された様式で取付けると、ストリッパ・プレート・ガイド44は(図８Ｃに示された)その繋止位置と(図８Ｂに示された)その繋止解除位置との間で自由に軸心方向移動する。この様にストリッパ・プレート・ガイド44を移動する際に、該ストリッパ・プレート・ガイド44における長寸開口166によれば該ストリッパ・プレート・ガイド44は、パンチ・ガイド16の壁部における静止的位置に固定された締結具60のヘッド63上を自由に通過する。
【手続補正６】
【補正対象書類名】明細書
【補正対象項目名】００４３
【補正方法】変更
【補正の内容】
【００４３】
パンチ・ガイド・アセンブリからストリッパ・プレート22を解除する上で、操作者はスプリング負荷式ボタン95を押圧することのみが必要である。これによりボタン95は、内径方向に移動してパンチ・ガイド16の壁部におけるボタン孔92との係合から離脱する(ことから、ストリッパ・プレート・ガイドはパンチ・ガイドに対して軸心方向前方に自由に移動する)。またこれにより、ストリッパ・プレート・ガイド44に対するスプリング111の力により該ストリッパ・プレート・ガイド44はその繋止解除位置へと移動される(すなわちスプリング111はストリッパ・プレート・ガイド44を軸心方向前方に押圧する)。ストリッパ・プレート・ガイド44はその繋止解除位置に到達することから、図５Ｂに示された如くパンチ・ガイド16の選択的テーパ唇部99により、クリップ80のヘッド82はストリッパ・プレート22から離脱し得る。この時点においてストリッパ・プレート・ガイド44はその繋止解除位置に在り、ストリッパ・プレート22はパンチ・ガイド・アセンブリから自由に取り外され得る。